(57)【要約】      （修正有）【課題】アドレス及びスイングの熟知または姿勢矯正のためのゴルフ訓練器具を提供する。【解決手段】訓練器具は、平板形状の搭載板１０を有し、該搭載板の適所に垂直に挿入及び設置された支柱１２を含む支柱体１４と、支柱体の前記支柱の上端に、一方の側を支軸に自由に回転可能に設置されて公転する回動アーム２０と、回動アームの他端に自由に回転可能に搭載されて自転しながらゴルファーの臀部を支えるサポート３０と、前記サポートの前面の一方の側に設置されてゴルファーの臀部側面を支える羽型の補助サポート４０と、を含み、ここで、ゴルファーの臀部を支える前記サポートの、自転と回動アームによる公転とを利用して、第１、２、３及び４位置へ動線をなすようにしながら、アドレス及びスイングを器具物にもたれて繰り返し、その動作の熟知または姿勢矯正を行えるようにした。【選択図】図１
2005205211.tif 000002
【特許請求の範囲】
【請求項１】
アドレス及びスイングの熟知または姿勢矯正のためのゴルフ訓練器具であって、
平板形状の搭載板を有し、該搭載板の適所に垂直に挿入及び配置された支柱を含む支柱体と、
前記支柱体の前記支柱の上端に、一方の側を支軸に自由に回転可能に設置された回動アームと、
前記回動アームの他端に自由に回転可能に搭載されて、自転しながらゴルファーの臀部を支えるサポートと、
前記サポートの前面の一方の側に設置され、ゴルファーの臀部の側部を支える羽型の補助サポートと、
を含み、
ゴルファーの臀部を支える前記サポートの、自転と回動アームによる公転とを利用して、第１、第２、第３及び第４の位置へ動線をなすようにしながら、前記アドレス及びスイングを、器具物にもたれて繰り返し、その動作の熟知または姿勢矯正を可能にした、
ことを特徴とするゴルフ訓練器具。
【請求項２】
請求項１記載のゴルフ訓練器具であって、
前記支柱は、第１管部材と第２管部材とに分離構成され、
前記第２管部材は、前記第１管部材の内側または外側へ移動することで、その長さが伸縮しながら前記支柱の高低調節が可能になり、前記支柱の高低調節の位置を維持するようにする結合部材を有する、
ことを特徴とするゴルフ訓練器具。
【請求項３】
請求項１記載のゴルフ訓練器具であって、
前記回動アームは、
前記サポートの回転半径内の２つに位置のそれぞれに設置されて、
前記サポートの回転が、制限された範囲内でなされるようにする第１及び第２制動ピンをさらに含む、
ことを特徴とするゴルフ訓練器具。
【請求項４】
請求項１記載のゴルフ訓練器具であって、
前記補助サポートは、
前記回動アームの前面と突き合わせられて、前記結合部材を利用して結合される支持面と、
該支持面の一方の側が一定の長さ延長され、所定の勾配を有する、ゴルファーの臀部一側面を支える台面と、
を有することを特徴とするゴルフ訓練器具。
【請求項５】
請求項４記載のゴルフ訓練器具であって、
前記補助サポートは、前記支持面に、
ゴルファーの体格に応じて前記補助サポートの位置を調節可能にするスロットをさらに含むことを特徴とするゴルフ訓練器具。
【請求項６】
請求項１記載のゴルフ訓練器具であって、
前記支柱の上端に、前記サポートの初期整列位置と最大回転を制御する第１及び第２ストッパーをさらに含むことを特徴とするゴルフ訓練器具。
【請求項７】
請求項１記載のゴルフ訓練器具であって、
前記支柱の適当な位置に、ゴルファーの両膝の移動範囲を制限する制御台をさらに含むことを特徴とするゴルフ訓練器具。
【発明の詳細な説明】
【技術分野】
【０００１】
本発明は、ゴルフ訓練器具に関し、特に、アドレス及びスイングを、器具物にもたれて繰り返し、その動作の熟知または姿勢矯正を可能にしたゴルフ訓練器具に関する。
【背景技術】
【０００２】
ゴルフは、停止状態で振る器具、即ちクラブを利用して、ボールを、打撃を加えて目標地点に打ち出すものである。ここで、非常に重要なことは、無駄なスイングをせず、スイング時にクラブのヘッドが本来の軌道から脱しないようにすることであって、このようなことを守るためには、静的な姿勢、例えばグリップ、アドレスそしてスタンス等の打撃前の基礎姿勢と、その基礎姿勢を土台にした動的な姿勢であるスイングとに注意が払われる。
【０００３】
ところで、初心者や一般ゴルファー達は、静的な基礎姿勢をある程度熟知しても、動的姿勢であるスイングが不安定であり、言い換えればバックスイング、ダウンスイング、インパクト、フォロースルー及びフィニッシュ等の、連続的且つリズム的に行われるスイングを熟知するには多くの困難が伴う。
【０００４】
このようなスイングで得なければならない姿勢は多いが、大きく取り上げられるのは、腰と肩及び臀部の動線であって、このようなスイングの訓練は、主に指導者の助言や文言を通じて熟知するようになるが、このとき、指導者の多角的且つ間接的な指導方式またはゴルファーの感覚による習得程度の差で、訓練が一貫的ではなく標準化されないのが実情である。
【０００５】
また、このような一貫的な訓練がなり立たない場合、特に初心者達は、混乱をきたすようになるのと同時に、訓練効率の低下は勿論のこと、正確な姿勢、即ちアドレスやスイングを正確に熟知することが不可能であった。
【０００６】
したがって、不安定なアドレス及びスイングでフックショット、スライスショットが起きて、飛球線が正確にならず、飛距離が低下する主な要因になっている。
【発明の開示】
【発明が解決しようとする課題】
【０００７】
本発明は、前記のような事情を考慮してなされたものであり、その目的は、身体の尾骨、即ち臀部を、自転と公転を起こすようにするサポートにもたれさせて、器具的な型枠により提示されるフォームでアドレスとスイングを繰り返し行い、その動作を人体に直接記憶させて動作の熟知または姿勢矯正を行うようにしたゴルフ訓練器具を提供することである。
【０００８】
本発明の他の目的は、アドレス及びスイング訓練を標準化させるゴルフ訓練器具を提供することにある。
【課題を解決するための手段】
【０００９】
このような本発明の目的は、ゴルフ訓練器具を提供することによって達成されるが、該訓練器具は、アドレス及びスイングの熟知または姿勢矯正のためのゴルフ訓練器具であって、該訓練器具は、平板形状の搭載板を有し、該搭載板の適所に垂直に入設される支柱を含む支柱体と、支柱体の前記支柱上端に一側を支軸に自由に回転可能に設置されて公転する回動アームと、回動アームの他端に自由に回転可能に搭載されて自転しながらゴルファーの臀部を支えるサポートと、前記サポートの前面一側に設置されてゴルファーの臀部側面を支える羽型の補助サポートを含み、ここで、ゴルファーの臀部を支える前記サポートを自転と回動アームによる公転を利用して第１、２、３及び４位置へ動線をなすようにしながらアドレス及びスイングを器具物にもたれて繰り返しその動作を熟知または姿勢矯正を可能にしたことを特徴とするゴルフ訓練器具である。
【発明の効果】
【００１０】
本発明のゴルフ訓練器具の効果を説明する。
【００１１】
本発明は、所定の器具物である訓練器具を通じて直接的且つ機械的な型枠によるフォームを提示し、このような状態で連続して繰り返し訓練することで人体にその動作を記憶させ、アドレスやスイングを熟知するようにすることで、アドレスは勿論のこと無駄のない正確で安定したスイングが可能になり、したがって、飛球線と飛距離が向上する。
【００１２】
また、本発明は、訓練器具を移動型として製作普及させて汎用性に優れており、尚且つ、訓練の標準化を可能にする効果もある。
【発明を実施するための最良の形態】
【００１３】
次に、本発明の実施例を、図面に基づいて具体的に説明する。
【００１４】
本発明の特徴的な技術は、指導者の間接的な指示による訓練ではなく、所定の器具物を通じて直接的且つ強制的にフォームを提示し、このような状態で、連続して繰り返し訓練することで、人体にその動作を記憶させ、アドレスやスイングを熟知するようにしたゴルフ訓練器具である。静的なアドレスは勿論のこと、動的なスイングのフォームをとることにおいて一番重要なことは、ゴルファーの臀部の動線であり、本発明は、このようなゴルファーの臀部の動線を熟知させるための訓練器具を提供するものである。
【００１５】
図１は、本発明に係る一実施例のゴルフ訓練器具の全体的な構成を示した斜視図であり、図２は、本発明のゴルフ訓練器具が使用される一実施例を示した説明図である。
【００１６】
本発明の訓練器具は、一般家庭やゴルフ練習場等、それ以外の適当な空間が提供されるどのような場所でも簡便に設置して訓練することができるものであって、搭載板（１０）と該搭載板（１０）の適当な場所に垂直に挿入及び配置された支柱（１２）を有する支柱体（１４）と、該支柱体（１４）の支柱（１２）の上端に、一方の側を支軸に自由に回転可能に設置されて公転するようにする回動アーム（２０）と、該回動アーム（２０）の他端に搭載され、自転しながらゴルファーの臀部を支えるサポート（３０）と、回動アーム（２０）の前面の一方の側に設置されてゴルファーの臀部側面を支える補助サポート（４０）と、を有し、ゴルファーの臀部を支えるサポート（３０）の自転と回動アーム（２０）による公転とを利用して、第１、第２、第３及び第４の位置へ動線をなすようにしながらアドレス及びスイングを器具物にもたれて繰り返し、その動作の熟知または姿勢矯正を可能にしたゴルフ訓練器具である。
【００１７】
さらに具体的に説明すると、支柱体（１４）は、図面のように、ゴルファーが立って姿勢を取ることができる適当な幅を有する平板形状の搭載板（１０）と、支柱（１２）と、で構成されるが、該搭載板（１０）には、ゴルファーのアドレス及びスイングの基本姿勢で左、右足の位置を案内するための案内要素（１１）が具備されている。このとき、左足は、少しオープンにした角度を有する。ここで、案内要素（１１）は、搭載板（１０）を部分的に切断して提供されており、それ以外に、突出部を有したり、線で表示されることができる。
【００１８】
また、図３ａ、３ｂのように、支柱（１２）は、四角または円筒等の管形状からなる第１管部材（１２ａ）と第２管部材（１２ｂ）とに分割構成され、第２管部材（１２ｂ）は、第１管部材（１２ａ）内で内側または外側に自由に移動することで、その長さが伸張または収縮しながら、ゴルファーの体格条件による高低を自由に調節させることができるように構成される。ここで、第２管部材（１２ｂ）の調節位置は、ねじボルト等でなる結合部材（１３）によって固定されるようにした。
【００１９】
また、支柱（１２）の上端には、一定の長さを有する回動アーム（２０）が、一方の側の支軸（２２）を軸にして自由に回転可能に設置され、回動アーム（２０）の他方の側では、サポート（３０）が搭載されて自由に回転可能に設置されている。ここで、回動アーム（２０）は、支柱（１２）の上端の周りに設置される第１ストッパー（１６ａ）と第２ストッパー（１６ｂ）とによって制限された範囲内で回動するようになる。このような回動アーム（２０）は、その本体を長手方向に反分割（例えば、半々に分割）して、その分割体を結合して、これらを内側または外側に挿入または離脱させながら、ゴルファーの体格条件によって、その長さを、延長または伸縮調節することも可能である。
【００２０】
そして、サポート（３０）は、回動アーム（２０）の他端の端部で、支軸（２２）を軸にして自由に回転するようになる。このようなサポート（３０）は、大略適当な合成樹脂を利用した射出成形物または非金属材であって、ゴルファーの臀部を覆うことができる多面的且つ多角形状でなり、ゴルファーの臀部を支えるようになる。また、そのサポート（３０）は、ゴルファーの臀部をもたれさせる帯形状またはエアバッグ等を利用した結束部材を含む。このようなサポート（３０）は、回動アーム（２０）の他端に具備される第１及び第２制動ピン（２４ａ、２４ｂ）によってその回動が制限されるようにし、また、回動アーム（２０）の前面の一方の側には、ゴルファーの臀部と太もも間の側面を支える羽型の補助サポート（４０）が設置されている。
【００２１】
補助サポート（４０）は、回動アーム（２０）の前面に、ねじボルト等のように締めることと解けることを成す結合部材（４１）を利用して結合される支持面（４０ａ）と、該支持面（４０ａ）に一体に一定の長さ延長され、多少の勾配を有する台面（４０ｃ）と、で構成されており、支持面（４０ａ）には、スロット（４０ｂ）を設けて、ゴルファーの体型によって補助サポート（４０）の位置調節を可能にした。
【００２２】
一方、支柱（１２）の適当な位置に、ゴルファーの左右の両ひざ部分を所定の範囲内で移動を制限するようにする制御台（１８）を有する。さらに詳しくは、制御台（１８）は、小幅の帯形状でなり、固定式またはその高低調節が可能に設置されるものであり、そして、ゴルファーの右膝が押されたり後ろに下がらないようにする。このとき、右膝が後ろに下がらないようにする支持台（１８ａ）をさらに含んでいる。
【００２３】
では、図４ａ、４ｂ、４ｃ及び４ｄを参照して、本発明のゴルフ訓練器具の動作過程を詳しく説明する。
【００２４】
本発明は、ゴルファーの静的な姿勢、即ち、アドレスとバックスイング、ダウンスイング、インパクト及びフィニッシュに繋がる動的な連続動作で要求されるゴルファーの臀部の動線を器具的に誘導し、整形化して、これを繰り返し遂行するようにして、所期の姿勢を熟知または矯正することができるようにしたものである。
【００２５】
図４ａに実線で図示されたサポート（３０）の第１位置は、アドレス時の姿である。このとき、回動アーム（２０）は、第１ストッパー（１６ａ）にもたれるタッチ感で感知され、これを基準にしてアドレス姿勢を取る。
【００２６】
このようなアドレス姿勢でバックスイングを行うと、ゴルファーの臀部が右側に回転して、図４ｂのように、サポート（３０）が時計方向に所定角度回転してゴルファーの臀部を所定角度にねじるようになり、第２位置のバックスイング姿勢を取るようになる。このとき、サポート（３０）の回転角は、第１制動ピン（２４ａ）によって所定の角度内に制限される。
【００２７】
そして、第２位置のバックスイング姿勢から連続してダウンスイングが行われると、回動アーム（２０）が前記のように元の場所に位置した状態で、サポート（３０）が、前記とは反対に反時計方向に所定角度回転してゴルファーの臀部を所定角度ねじり、図４ｃのように、第３位置の姿を有する。このとき、サポート（３０）は、第２制動ピン（２４ｂ）によって停止すると同時に、ゴルファーの左側臀部と太もも間の部分が補助サポート（４０）にタッチすることで第３位置の動作が完了してインパクト姿勢を取るようになる。
【００２８】
このように、第３位置（インパクト姿勢）の到達と同時に、回動アーム（２０）は、補助サポート（４０）側に加えられる、押される力、即ちゴルファーの左側臀部と太ももの間の部分が反時計方向に押し出す力が作用することで、反時計方向に回動して、図４ｄのように第４位置に連続進行する。サポート（３０）を公転させた回動アーム（２０）は、第２ストッパー（１６ｂ）によって停止するのと同時に、サポート（３０）も、反時計方向に所定角度回転してゴルファーの臀部を飛球方向に直角方向に位置させて、フィニッシュ動作を完了するようになる。このとき、サポート（３０）は、第２制動ピン（２４ｂ）によって、その回動が制限される。
【００２９】
このようにスイング動作が完了したら、訓練器具を、図４ａの状態に復帰させて次の訓練を待機する。
【００３０】
一方、本発明のゴルフ訓練器具では、支柱（１２）の適当な位置に、ゴルファーの左右両膝部分が前記姿勢を取るときに必要以上に起る現象を防止抑制する制御台（１８）を有し、より安定した動作をなすようになる。
【００３１】
本発明は、前記のように、第１、第２、第３及び第４の位置を連続して繰り返しながら所期の静的なアドレスと、動的なバックスイング、ダウンスイング、インパクト及びフィニッシュ動作との熟知または姿勢矯正を可能にするものである。
【００３２】
以上のように、本発明の一実施例を説明したが、本発明は、これに限らず請求の範囲に記載した範囲内で変更が可能である。
【図面の簡単な説明】
【００３３】
【図１】本発明のゴルフ訓練器具の全体的な構成を示した斜視図である。
【図２】本発明のゴルフ訓練器具の使用される姿を示した説明図である。
【図３ａ】本発明のゴルフ訓練器具の構成を示した側断面図である。
【図３ｂ】図１のＡ部分を抜粹して示した部分の拡大平面図である。
【図４ａ】図４ａ〜４ｄは、本発明のゴルフ訓練器具の区分動作による姿を示した説明図であり、そのうち、図４ａは、アドレス姿勢の第１位置の姿を示した説明図である。
【図４ｂ】バックスイング姿勢の第２位置の姿を示した説明図である。
【図４ｃ】インパクト姿勢の第３位置に到達する姿を示した説明図である。
【図４ｄ】インパクトからフィニッシュに連続する第４位置の姿を示した説明図である。
【符号の説明】
【００３４】
１０：搭載板
１２：支柱
１４：支柱体
１６ａ，１６ｂ：第１及び第２ストッパー
１８：制御台
２０：回動アーム
２２：支軸
２４ａ，２４ｂ：第１及び第２制動ピン
３０：サポート
４０：補助サポート
【図１】
2005205211.tif 000003
【図２】
2005205211.tif 000004
【図３ａ】
2005205211.tif 000005
【図３ｂ】
2005205211.tif 000006
【図４ａ】
2005205211.tif 000007
【図４ｂ】
2005205211.tif 000008
【図４ｃ】
2005205211.tif 000009
【図４ｄ】
2005205211.tif 000010